(57)【特許請求の範囲】
【請求項１】
メジャーの先端部に取り付けてなる頭髪メジャー用クリップにおいて、頭髪メジャー用クリップは、基端側がグリップ部、先端側が頭髪を挾持する挾持部に形成された左右のクリップ体を重ね合わせて軸支し、前記挾持部同士を閉じるようにバネによって付勢してなり、さらに、前記左右のクリップ体の一方には非挾持部をメジャーが延伸する方向とは反対方向に設けたことを特徴とした頭髪メジャー用クリップ。
【発明の詳細な説明】
【技術分野】
【０００１】
本発明は、メジャーの先端部に取り付けるヘアークリップが頭部に接触し頭髪の根本付近を挾持し、挾持された頭髪をカットしたカット面の誤差を小さくする頭髪メジャー用クリップに関する。                                        
【背景技術】
【０００２】
従来、頭部に接触し頭髪を頭皮に対して垂直に挾持し、頭皮に与える負担を軽減した頭髪メジャー用クリップが開発されていなかった。                  
【０００３】
【特許文献１】実開平０５−０７０４１２５号公報
【特許文献２】特開２００４−０８９６７０号公報
【発明の開示】
【発明が解決しようとする課題】
【０００４】
従来、出願されていた頭髪メジャーの挾着部は、本発明が解決しようとする課題が解決されていなかった。頭髪カットクリップは、カットに重要な髪の長さを計り決定することができなかった。また、頭髪カットクリップのサイズを大きくしても、本発明が解決しようとする課題が解決されていなかった。ところで、頭髪を計測しカットするためには頭皮上でメジャーの一端が接触し頭髪を固定し、頭髪とメジャーを同時に目的の長さまで引き伸ばさなければ正確に計測しカットできない。また、従来のクリップやヘアークリップにメジャーを取り付け、頭皮に接触させ頭皮に対して垂直に頭髪を挾持すると、頭皮上の毛髪と毛髪の間には空間があるため、計測する頭髪の取り幅全体が中心一点に挾持され両端の毛髪に力が強く作用し、頭皮に痛みをあたえてしまう。なお、計測するために頭髪を直線状に引き伸ばすとさらに頭皮には強い痛みをあたえてしまう。また、頭皮に対して垂直に挾持された頭髪を、カットしたカット面が取り幅の中心が短く両端にいくほど長くなり、頭髪の取り幅の約半分の長さの誤差が生じる。                              
【０００５】
本発明は、かかる現状に鑑みて創作されたものであって、その目的とするところは、頭部に接触し頭皮に与える負担を軽減し、頭皮に対して頭髪を垂直に挾持できる頭髪メジャークリップである。また、ヘアークリップをメジャーに取り付け頭髪を挾持し、計測後、カットしたカット面の誤差を小さくする頭髪メジャー用クリップを提供することである。さらに、技術者が目的の長さに頭髪を指間に挾持する時と同じ状態をつくる、メジャーと一体となる頭髪メジャー用クリップを提供することである。                                
【課題を解決するための手段】
【０００６】
かかる目的を達成するため、請求項１の発明は、基端側がグリップ部、先端側が頭髪を挾持する挾持部と、頭皮側に対応する頭髪を挾持しない非挾持部で形成された左右のクリップ体を重ね合わせて軸支し、左右のクリップ体のグリップ同士を開き、頭髪を挾持する挾持部を閉じるようにバネによって付勢してなるヘアークリップにおいて、前記バネの付勢によって頭髪が挾持部同士に閉じられた際に、頭皮側に対応する頭髪を挾持しない非挾持部が設けてあることを特徴としている。      
【発明の効果】
【０００７】
本発明によれば、頭髪メジャー用クリップが頭部に接触し頭皮に対して頭髪を垂直に挾持することができるようになり、頭皮にあたえる負担が軽減される。頭髪メジャー用クリップによって、計測後カットしたカット面の誤差が小さくなる。従来ある、パネル状にカットするブラントカット技法により製作された、ヘアースタイルの各所のパネルの長さを表示したヘアーデザインを用いて、メジャーと一体となる頭髪メジャー用クリップの数種類の挾持部の角度と、頭髪の長さを延長させる数種類の延長部を組み合わせることにより、熟練した技術者でなくても、いろいろなヘアースタイルが容易にカットできるようになる。                        
【発明を実施するための最良の形態】
【０００８】
以下、本発明の実施形態を図面を用いて説明する。図１から図５、及び、図７から図９は何れも本発明の実施形態にかかる頭髪メジャー用クリップ１を示しており、図１は斜視図、図２は前面図、図３は背面図、図４は右側面図、図５は本発明の頭髪メジャー用クリップをメジャーの先端部に取り付けクリップの一端が頭部に接触し頭髪を挾持した斜視図、図６は従来のヘアークリップを頭部に接触し頭髪を挾持した前面図と斜視図。図７は頭髪メジャークリップの頭髪を挾持する左右の挾持部の下側の両方に非挾持部が設けてある斜視図、図８は頭皮に対して挾持部の角度が４５度に設定され頭髪を挾持した右側面図、図９は非挾持部の下側に延長部を接続した前面図。
【０００９】
図示のヘアークリップ１は、例えば金属やプラスチックなどで構成される右のクリップ体２と左のクリップ体３を左右に重ね合わせた構成になっている。これら左右のクリップ体２、３の基端側は、何れもグリップ部４、５で形成されている。また、左右のクリップ体２，３の先端側は、上側に頭髪を挾持する挾持部６、７、下側に頭髪を挾持しない所定長さの非挾持部８で形成されている。そして、これらの左右のクリップ体２、３をそのグリップ部４、５同士およびその頭髪を挾持する挾持部６、７同士を重ね合わせるようにして、軸９により互いに回転自在に軸支している。この軸の周囲には、コイルバネ１０がまきつけてあり、このバネ付勢によって、左右のクリップ体２、３のグリップ部４、５同士を開き、かつ、頭髪を挾持する、挾持部６、７同士を閉じる力が、左右のクリップ体２、３に常に作用している。  
【００１０】
本発明にかかるヘアークリップ１によれば、挾持部６、７の下側に非挾持部８、が形成されているので、頭皮と挾持部の間に空間ができ、頭皮にあたえる負担が小さくなる。また、頭髪を頭皮上で挾持することがなくなるため計測後カットしたカット面の誤差も小さくなる。                                          
【図面の簡単な説明】
【００１１】
【図１】本発明の実施形態を示す頭髪メジャー用クリップの斜視図。
【図２】本発明の実施形態を示す頭髪メジャー用クリップの前面図。
【図３】本発明の実施形態を示す頭髪メジャー用クリップの背面図。
【図４】本発明の実施形態を示す頭髪メジャー用クリップの右側面図。
【図５】本発明の実施形態を示す頭髪メジャー用クリップをメジャーの先端部に取り付けクリップの一端が頭部に接触し頭髪を挾持した斜視図。
【図６】従来のヘアークリップを頭部に接触し頭髪を挾持した前面図と斜視図。
【図７】本発明の実施形態を示す頭髪用メジャー用クリップの頭髪を挾持する左右の挾持部の下側の両方に非挾持部が設けてある斜視図。
【図８】頭皮に対して挾持部の角度が４５度に設定され頭髪を挾持した、本発明の実施形態を示す頭髪メジャー用クリップの右側面図。
【図９】非挾持部の下側に延長部を接続した本発明の実施形態を示す頭髪メジャー用クリップの前面図。
【符号の説明】
【００１２】
１  頭髪メジャー用クリップ                                            
２  右のクリップ体                                                    
３  左のクリップ体                                                    
４  右のグリップ部                                                    
５  左のグリップ部                                                  
６  右の挾持部                                                      
７  左の挾持部                                                      
８  左の非挾持部                                                    
９  軸                                                              
１０  コイルバネ                                                      
１１  延長部                                                          
【図１】
0003838653.tif 000002
【図２】
0003838653.tif 000003
【図３】
0003838653.tif 000004
【図４】
0003838653.tif 000005
【図５】
0003838653.tif 000006
【図６】
0003838653.tif 000007
【図７】
0003838653.tif 000008
【図８】
0003838653.tif 000009
【図９】
0003838653.tif 000010